(57)【要約】【課題】小型化することができる配線固定部材を提供する。【解決手段】内部に配線が収容される収容部材２を相手部材に固定する配線固定部材１において、基部１１と、前記基部１１から立設して互いの間に前記収容部材２を位置付けて保持する一対の保持壁１２と、前記一対の保持壁１２で保持された収容部材２に係止し、かつ、該一対の保持壁１２で保持された収容部材２の長手方向に対して鋭角に交差する開口１５を互いの間に形成するように、前記保持壁１２の各々から延在する係止部１３と、を有することを特徴とする。【選択図】図１
2007159260.tif 000002
【特許請求の範囲】
【請求項１】
内部に配線が収容される収容部材を相手部材に固定する配線固定部材において、
基部と、
前記基部から立設して互いの間に前記収容部材を位置付けて保持する一対の保持壁と、
前記一対の保持壁で保持された収容部材に係止し、かつ、該一対の保持壁で保持された収容部材の長手方向に対して鋭角に交差する開口を互いの間に形成するように、前記保持壁の各々から延在する係止部と、
を有することを特徴とする配線固定部材。
【請求項２】
前記保持壁に連なり、かつ、前記係止部によって形成される開口を塞ぐように前記相手部材に固定する固定部を有することを特徴とする請求項１に記載の配線固定部材。
【請求項３】
前記固定部が、前記保持壁の上端部から延在する係止部と連なって連続し、かつ、前記相手部材と当接する平面を形成するようにしたことを特徴とする請求項１又は２に記載の配線固定部材。
【請求項４】
前記収容部材の蛇腹部に係合する係合部を有することを特徴とする請求項１〜３の何れか１項に記載の配線固定部材。
【発明の詳細な説明】
【技術分野】
【０００１】
本発明は、配線を相手部材に固定する配線固定部材に関するものである。
【背景技術】
【０００２】
移動体としての自動車などには、種々の電子機器が搭載される。このため、前記自動車などは、前記電子機器に電源などからの電力やコンピュータなどからの制御信号などを伝えるために、ワイヤハーネスを配索している。ワイヤハーネスは、複数の電線と、該電線の端部などに取り付けられたコネクタなどを備えている。
【０００３】
電線は、導電性の芯線と該芯線を被覆する絶縁性の合成樹脂からなる被覆部とを備えている。電線は、所謂被覆電線である。コネクタは、導電性の端子金具と絶縁性のコネクタハウジングとを備えている。端子金具は、電線の端部などに取りつけられかつ該電線の芯線と電気的に接続する。コネクタハウジングは、箱状に形成されかつ端子金具を収容する。
【０００４】
ワイヤハーネスの保持具としては、例えば、ワイヤハーネスを略円筒状のコルゲートチューブ内に収容した状態で保持具が保持するものがある（特許文献１参照）。このワイヤハーネスの保持具では、コルゲートチューブの外周に複数の谷部が形成されており、複数の谷部はコルゲートチューブの軸方向に等間隔に配置されるとともに、各谷部はコルゲートチューブの周方向全体に配置されている。これにより、コルゲートチューブは所謂蛇腹状とされており、コルゲートチューブによってワイヤハーネスへの他部品からのダメージが減少されている。
【０００５】
保持具は略円筒状とされており、保持具内にコルゲートチューブが挿通されることで、コルゲートチューブを介してワイヤハーネスが保持されている。保持具内には略円環板状のリブが設けられており、リブがコルゲートチューブの谷部に挿入されることで、保持具に対するコルゲートチューブの軸方向への移動が規制されている。
【０００６】
保持具内には、食い込み突起が設けられており、食い込み突起がコルゲートチューブの外周に食い込むことで、保持具に対するコルゲートチューブの回転が規制された構成である。
【０００７】
また、ワイヤハーネス等の線条材を保持する従来の保持具としては、特許文献１に示すものが知られている。該保持具は、基板状面の両端部に開口方向が逆向きとなる一対の弾性保持壁を形成するとともに、該各弾性保持壁の間に線上材の径よりも大きな空間部を画成することにより、基板上で線上材を単に正逆方向に９０゜回転させるだけで、基板に対する線上材の取り付け・取り外しが極めて簡単に行うことを可能としたものである。
【特許文献１】実開平６−７１９０６号公報
【発明の開示】
【発明が解決しようとする課題】
【０００８】
しかしながら、上述した特許文献１の保持具によって、基板に対する線条材の取り付け・取り外し等の作業の簡単化を図ってきたが、電線の本数の増加等に伴って線条材が太くなると、保持具もそれに伴って大きくなってしまうという問題があった。そのため、さらなる保持具の小型化が要望されており、該小型化の可能性を鋭意検討する必要があった。
【０００９】
よって本発明は、上述した問題点に鑑み、小型化することができる配線固定部材を提供することを課題としている。
【課題を解決するための手段】
【００１０】
上記課題を解決するため本発明によりなされた請求項１記載の配線固定部材は、内部に配線が収容される収容部材を相手部材に固定する配線固定部材において、基部と、前記基部から立設して互いの間に前記収容部材を位置付けて保持する一対の保持壁と、前記一対の保持壁で保持された収容部材に係止し、かつ、該一対の保持壁で保持された収容部材の長手方向に対して鋭角に交差する開口を互いの間に形成するように、前記保持壁の各々の上端部から延在する係止部と、を有することを特徴とする。
【００１１】
上記請求項１に記載した本発明の配線固定部材によれば、一対の係止部によって形成され、収容部材の長手方向に対して鋭角に交差する開口から収容部材が挿通されてひねられると、該収容部材を一対の保持壁によって長手方向に位置づけられて保持するとともに、一対の係止部によって係止することができる。
【００１２】
請求項２記載の発明は、請求項１に記載の配線固定部材において、前記保持壁に連なり、かつ、前記係止部によって形成される開口を塞ぐように前記相手部材に固定する固定部を有することを特徴とする。
【００１３】
上記請求項２に記載した本発明の配線固定部材によれば、収容部材を一対の保持壁によって長手方向に位置づけて保持するとともに一対の係止部によって係止すると、固定部によって開口を塞ぐように相手部材に固定することができる。
【００１４】
請求項３記載の発明は、請求項１又は２に記載の配線固定部材において、前記固定部が、前記保持壁の上端部から延在する係止部と連なって連続し、かつ、前記相手部材と当接する平面を形成するようにしたことを特徴とする。
【００１５】
上記請求項３に記載した本発明の配線固定部材によれば、固定部と係止部との双方を相手部材に当接させた状態で固定することができる。
【００１６】
請求項４記載の発明は、請求項１〜３の何れか１項に記載の配線固定部材において、前記収容部材の蛇腹部に係合する係合部を有することを特徴とする。
【００１７】
上記請求項４に記載した本発明の配線固定部材によれば、一対の保持壁によって長手方向に位置づけて保持するとともに一対の係止部によって係止すると、その収容部材の蛇腹部に係合部を係合させることができる。
【発明の効果】
【００１８】
以上説明したように請求項１に記載した本発明の配線固定部材によれば、一対の係止部によって形成され、収容部材の長手方向に対して鋭角に交差する開口から収容部材が挿通されてひねられると、該収容部材を一対の保持壁によって長手方向に位置づけられて保持するとともに、一対の係止部によって係止することができるため、収容部材の長手方向に対して直交するように収容部材を挿通させるよりも、その長手方向における一対の保持壁の間隔を狭めて、小型化を図ることができる。また、収容部材に対する配線固定部材の取り付けを一方向から行うことができるため、機械での取り付けを可能とすることができる。
【００１９】
請求項２に記載の発明によれば、請求項１に記載の発明の効果に加え、収容部材を一対の保持壁によって長手方向に位置づけて保持するとともに一対の係止部によって係止すると、固定部によって開口を塞ぐように相手部材に固定することができるため、相手部材によって開口が塞がれて、収容部材が外れることを防止することができる。
【００２０】
請求項３に記載の発明によれば、請求項１又は２に記載の発明の効果に加え、固定部と係止部との双方を相手部材に当接させた状態で固定することができるため、相手部材によって確実に開口を塞ぐことができるようになり、収容部材が外れることを防止することができる。
【００２１】
請求項４に記載の発明によれば、請求項１〜３の何れか１項に記載の発明の効果に加え、一対の保持壁によって長手方向に位置づけて保持するとともに一対の係止部によって係止すると、その収容部材の蛇腹部に係合部を係合させることができるため、収容部材の抜け防止が可能となり、十分な保持力を得ることができる。
【発明を実施するための最良の形態】
【００２２】
以下、本発明に係る配線固定部材の一実施の形態を、図１〜図７の図面を参照して説明する。
【００２３】
図１〜７において、配線固定部材１は、内部に配線であるワイヤハーネス（図示せず）が収容され、収容部材である略楕円形筒状のコルゲートチューブ２を、車両の車体、パネル等の相手部材５に固定する。該配線固定部材１は、基部１１と、一対の保持壁１２，１２と、各保持壁１２に設けられる係止部１３と、各保持壁１２に連なる固定部１４と、補強部１６と、係合部１７と、有しており、それらは合成樹脂等によって一体的に形成している。
【００２４】
なお、ワイヤハーネスは、上述したように、複数の電線と、該電線の端部などに取り付けられたコネクタと、を有するものであるが、配線としては、１又は複数の電線、ケーブルなど種々異なるものを用いることができる。
【００２５】
コルゲートチューブ２は、合成樹脂等からなる略楕円の筒状とされており、コルゲートチューブ２内には、配線としてのワイヤハーネスが複数挿通された状態で収容される。コルゲートチューブ２の外周には、断面四角形状の谷部２ａ（凹部）が複数形成されており、複数の谷部２ａはコルゲートチューブ２の軸方向に等間隔に配置されると共に、各谷部２ａはコルゲートチューブ２の周方向全体に配置されている。これにより、コルゲートチューブ２は所謂蛇腹状とされており、コルゲートチューブ２によって前記ワイヤハーネスへの他部品からのダメージが減少されている。
【００２６】
基部１１は、コルゲートチューブ２の長手方向に長い矩形板状に形成している。基部１１の幅は、コルゲートチューブ２の幅とほぼ同一となっている。基部１１の長手方向の長さは、後述する２つ分の保持壁１２の長さに相当している。
【００２７】
一対の保持壁１２，１２は、一方が基部１１の一方側の縁部１１ａから立設し、他方が基部１１の他方側の縁部１１ｂから立設している。一対の保持壁１２，１２は、基部１１の長手方向において互い違いとなるように形成している。各保持壁１２は、コルゲートチューブ２の形状に対応した円弧状の平板となるように形成している。
【００２８】
また、各保持壁１２は、基部１１の長手方向に延び、かつ、基部１１の縁部から立設する延在部１２ａを有している。延在部１２ａは、保持壁１２よりも高さが低くなっている。この延在部１２ａは、コルゲートチューブ２の位置付けを補助している。
【００２９】
係止部１３は、一対の保持壁１２，１２で保持されたコルゲートチューブ２に係止し、かつ、該一対の保持壁１２，１２で保持されたコルゲートチューブ２の長手方向に対して鋭角に交差する開口１５を互いの間に形成するように、保持壁１２，１２の各々の上端部から延在するように形成している。
【００３０】
各係止部１３は、略三角形の板状に形成しており、その一辺１３ａがコルゲートチューブ２の長手方向に対して鋭角に交差させることで、各一辺１３ａの互いの間に開口１５を形成している。よって、各係止部１３の角度を変更することで、コルゲートチューブ２の長手方向に対して交差させる鋭角を変更することができる。また、対向する各係止部１３の一辺１３ａ間の距離は、コルゲートチューブ２の幅とほぼ同一となっており、コルゲートチューブ２が開口１５を挿通可能な構成となっている。つまり、開口１５は、コルゲートチューブ２の挿通孔として機能している。
【００３１】
固定部１４は、係止部１３によって形成される開口１５を塞ぐように相手部材５に固定するように、保持壁１２から連なって形成している。そして、各固定部１４の中央付近には、相手部材５の表面から突出するボルト（図示せず）を挿通して位置決めする挿通孔１４ａを形成している。なお、固定部１４は、矩形板状に形成しているが、その形状は、例えば略半円形板状など種々異なる形状とすることができる。
【００３２】
補強部１６は、固定部１４の強度を高めるものであり、固定部１４の端部１４ｂから基部１１に向かう直線と、保持壁１２と、係止部１３と、固定部１４とで囲まれた範囲に亘って板状に形成している。なお、補強部１６については、固定部１４の肉厚を厚くするなどで十分な強度が得られる場合は、構成から削除してもよい。
【００３３】
係合部１７は、コルゲートチューブ２の任意の谷部（蛇腹部）２ａに係合するように、コルゲートチューブ２との対向する基部１１の内面から立設するとともに、補強部１６から延在するように形成している。つまり、係合部１７は、基部１１から補強部１６に亘って、断面略Ｊ字板状に形成している。係合部１７は、保持されるコルゲートチューブ２に向かうように形成しており、一対の保持壁１２，１２が保持し、かつ、係止部１３が係止するコルゲートチューブ２の谷部２ａに嵌合されることで、配線固定部材１からコルゲートチューブ２が抜けることを防止している。
【００３４】
次に、上述した配線固定部材１のコルゲートチューブ２に対する取り付け例とその作用を以下に説明する。
【００３５】
配線固定部材１は、図５及び図６に示すように、開口１５にコルゲートチューブ２を挿通可能なように、コルゲートチューブ２の下方に配置される。そして、配線固定部材１は、コルゲートチューブ２の下方から取り付け方向Ｍ１に移動されて、コルゲートチューブ２の全てが開口１５を通過することで、図７に示すように、基部１１にコルゲートチューブ２が当接した状態となる。なお、本最良の形態では、コルゲートチューブ２に配線固定部材１を接近させて取り付ける場合について説明するが、配線固定部材１にコルゲートチューブ２を接近させるようにしてもよい。
【００３６】
配線固定部材１は、回動方向Ｍ２に向かって回動されると、図１に示すように、一対の保持壁１２，１２がコルゲートチューブ２に当接することで、コルゲートチューブ２を位置付けて保持するとともに、各係合部１３がコルゲートチューブ２の表面に当接することで、前記一対の保持壁１２，１２で保持されたコルゲートチューブ２に係止する。
【００３７】
この状態で配線固定部材１は、固定部１４の挿通孔１４ａに相手部材５のボルトを挿通させながら、係止部１３及び固定部材１４を相手部材５に当接させ、前記ボルトにナット（図示せず）をはめて固定部１４を締め付けることで、相手部材５に固定される。
【００３８】
なお、本最良の形態では、ワイヤハーネスを挿通していないコルゲートチューブ２を用いて説明したが、本発明はこれに限定するものではなく、ワイヤハーネスを挿通した状態で組み付けを行うようにしても差し支えない。
【００３９】
以上説明した本発明の配線固定部材１によれば、一対の係止部１３，１３によって形成されたコルゲートチューブ２の長手方向に対して鋭角に交差する開口１５からコルゲートチューブ２が挿通されてひねられると、該コルゲートチューブ２を一対の保持壁１２，１２によって長手方向に位置づけられて保持するとともに、一対の係止部１３，１３によって係止することができるため、コルゲートチューブ２の長手方向に対して直交するようにコルゲートチューブ２を挿通させる従来のものよりも、その長手方向における一対の保持壁１２，１２の間隔を狭めて、小型化を図ることができる。また、コルゲートチューブ２に対する配線固定部材１の取り付けを一方向から行うことができるため、機械での取り付けを可能とすることができる。
【００４０】
また、コルゲートチューブ２を一対の保持壁１２，１２によって長手方向に位置づけて保持するとともに一対の係止部によって係止すると、固定部１４によって開口を塞ぐように相手部材５に固定することができるため、相手部材５によって開口１５が塞がれて、コルゲートチューブ２が外れることを防止することができる。
【００４１】
さらに、固定部１４と係止部１３との双方を相手部材５に当接させた状態で固定することができるため、相手部材５によって確実に開口を塞ぐことができるようになり、収容部材が外れることを防止することができる。
【００４２】
また、一対の保持壁１３，１３によって長手方向に位置づけて保持するとともに一対の係止部１２，１２によって係止すると、そのコルゲートチューブ２の谷部２ａに係合部１７を係合させることができるため、コルゲートチューブ２の抜け防止が可能となり、十分な保持力を得ることができる。
【００４３】
なお、上述した本最良の形態では、収容部材をコルゲートチューブ２とした構成について説明したが、収容部材をワイヤハーネス（配線）の被覆部材としてコルゲートチューブ２を省略した構成とするなど種々異なる形態とすることができる。
【図面の簡単な説明】
【００４４】
【図１】本発明の配線固定部材が収容部材を保持した状態の斜視図である。
【図２】本発明の配線保持ユニットを相手部材に固定した状態を説明するための図である。
【図３】図１中の配線固定部材の収容部材を保持していない状態の斜視図である。
【図４】図３中の配線固定部材の下方からの斜視図である。
【図５】配線固定部材を収容部材に取り付ける直前の状態を示す上面図である。
【図６】配線固定部材を収容部材に取り付ける直線の状態を示す斜視図である。
【図７】配線固定部材を収容部材に対して被せた状態を示す斜視図である。
【符号の説明】
【００４５】
１    配線固定部材
２    コルゲートチューブ（収容部材）
１１    基部
１２    保持壁
１３    係止部
１４    固定部
１５    開口
１７    係合部
【図１】
2007159260.tif 000003
【図２】
2007159260.tif 000004
【図３】
2007159260.tif 000005
【図４】
2007159260.tif 000006
【図５】
2007159260.tif 000007
【図６】
2007159260.tif 000008
【図７】
2007159260.tif 000009